(57)【要約】【課題】装置内に多数の観葉植物を収納して自動灌水により育成すると同時に建物内壁の美観向上、室内の雰囲気改善に資する観葉植物の育成兼展示装置を提供する。【解決手段】透明又は半透明板状パネルを垂直設置し、前面上下方向に所定間隔を隔てて水平棚を複数配置しパネル付き展示棚とする。各棚水平方向に間隔を開けて孔を設け、孔位置に植栽容器を載置する。植栽容器底部中央に孔を設けてフランジ付きパイプを通し、内側に鎖を垂らして上段植栽容器の水を鎖を伝って下段植栽容器内に滴下させる。板状パネルを流下する水、最下段植栽容器から鎖を伝って流下する水を受ける溜水受を下部に配置する。最上段棚上方の上方棚に給水箱を載置し、その背面側壁に設けた横幅方向に伸びるスリットから水を流出させ板状パネル背面を伝って流下させる。給水箱底面と上方棚に小孔を設けて鎖を垂らし、鎖を伝って給水箱の水を下段植栽容器内に滴下させる。【選択図】図２
2018174744.tif 000002
【特許請求の範囲】
【請求項１】
観葉植物の育成兼展示装置であって、該育成兼展示装置はパネル付き展示棚と植栽容器と灌水装置とを備えて構成され、
前記パネル付き展示棚は垂直に設置した透明又は半透明の板状パネルの前面に上下方向に所定間隔を隔てて複数の棚を水平配置したもので、各棚は水平方向に所定間隔を開けて前記植栽容器を複数載置する棚で、載置個所には植栽容器底部中央から垂下する後述のフランジ付き短パイプを通過させる孔が各棚共通位置に形成してあり、
前記植栽容器は観葉植物を植栽する容器で、底部中央には前記棚の孔を通過できる長さのフランジ付き短パイプが下方に向けて取り付けられ、該パイプを通しては鎖が垂下され、上段側植栽容器からの水が該鎖を伝って下段側植栽容器内に滴下するようにしてあり、
前記灌水装置は下部溜水受と、上部給水箱と、給水ポンプからなり、溜水受は前記板状パネルを伝って流下する水、及び最下段棚の植栽容器から前記鎖を伝って滴下する水を溜めるように構成され、前記給水箱は最上段棚よりも上の上方棚に載置された断面凹状の溝形給水箱で、その背面側壁には板状パネルの横幅方向に伸びるスリットが形成されて該スリットから流出した水が板状パネル背面を伝って流下するようにされており、更に、最上段各植栽容器の上方に当たる位置の給水箱底面と上方棚には孔を設けて前記植栽容器内に取り付けたと同じフランジ付き短パイプを取り付け、該パイプを通して鎖を垂下させて該鎖を伝って給水箱の水が下段植栽容器内に滴下するようにされており、前記給水ポンプは前記溜水受内の水を前記給水箱に給水するように構成されており、
かかる構成により前記板状パネル背面を流下する流路と、各段の植栽容器を通過して流下する流路とにより水が循環するように構成されていることを特徴とする観葉植物の育成兼展示装置。
【請求項２】
請求項１に記載の観葉植物の育成兼展示装置において、前記板状パネルの前面側上部、及び／又は前面側左右両側面に照明装置を取り付けたことを特徴とする観葉植物の育成兼展示装置。
【発明の詳細な説明】
【技術分野】
【０００１】
本発明は装置内で観葉植物を多数育成すると同時に、装置を建物内壁面に近接設置等して展示することにより壁面の美観向上、室内の雰囲気改善に資することを目的とした観葉植物の育成兼展示装置に関する。
【背景技術】
【０００２】
近年、夏期における都市の気温上昇緩和や景観、環境改善等の観点から公園、歩道等の緑化と並んで建物の屋上や外壁の緑化が勧められている。こうした大がかりな緑化とは別に、建物内部の美観向上や雰囲気改善のために内部壁面の一部または全体を緑化する試みが行なわれている。観葉植物を育成しつつ壁面を緑化して美しく見えるようにするには、植物を垂直方向に並べた状態で育成し、且つそれらが美しく見えるように工夫する必要があり、その方法について多くの提案がなされている。
【０００３】
例えば、特許文献１には、筒状ポケットの開口部の一方を基盤体に固定し、基盤体には固定したポケット部分に筒状ポケットと同形の開口部を設け、筒状ポケットのもう一方の開口部に排水させるための網目からなる排水孔を設ける。そして栽培用ポットから取り出した植物の土壌部分を保水性シートで巻き、筒状ポケットに開口部より挿入する。灌水は灌水ホースを筒状のポケットの上部に連結させるように設置し、灌水ホースから細い灌水ホースを筒状ポケットの上部に差込むことで行うことを特徴とした壁面緑化方法が開示されている。この方法の場合、栽培用ポットから取り出した植物の土壌部分を保水性シートで巻く必要があり面倒である。また灌水ホースから細い灌水ホースを個々の筒状ポケットの上部に差込む構造は複雑であり問題がある。更に、排水孔から漏れ出た水の処理方法が不明である。
【０００４】
また、特許文献２には、板状パネルと、その板状パネルに形成された開口部と、その開口部の周囲から突設されて植物の根部を受ける根受部（ポケット）と、板状パネルの裏面に形成された凹部とを有して構成された植栽パネルを、保水層を取り付けた壁面に固定して構成することを特徴とする壁面緑化構造が開示されている。ポケットは球体を４分の１に分割した形状で開口が上を向き、その中に土壌を投入して植物を植栽したときに土壌及び植物の根がポケットによって受けられ、植栽された植物の根は開口部から板状パネルの裏面に侵入して開口部と連通する溝内を伸張可能とされている。このような構造では植物が部分的に枯れて交換が必要になった場合や、植栽後に植物の組み合わせ変更が必要となった場合に植物の植え替えに手間と時間がかかる問題がある。また、灌水の方法も明確ではない。
【先行技術文献】
【特許文献】
【０００５】
【特許文献１】特開２００６−２０６２１号公報
【特許文献２】特開２００８−２９３２２号公報
【発明の概要】
【発明が解決しようとする課題】
【０００６】
本発明は、従来技術のこうした問題を解決するためになされたもので、その課題は、装置内に多数の観葉植物を収納して自動灌水により育成すると同時に、装置を建物内壁面に近接設置等して展示することにより壁面の美観向上、室内の雰囲気改善に資する観葉植物の育成兼展示装置を提供することにある。
【課題を解決するための手段】
【０００７】
前記課題を解決するための請求項１に記載の発明は、観葉植物の育成兼展示装置であって、該育成兼展示装置はパネル付き展示棚と植栽容器と灌水装置とを備えて構成され、パネル付き展示棚は垂直に設置した透明又は半透明の板状パネルの前面に上下方向に所定間隔を隔てて複数の棚を水平配置したもので、各棚は水平方向に所定間隔を開けて植栽容器を複数載置する棚で、載置個所には植栽容器底部中央から垂下する後述のフランジ付き短パイプを通過させる孔が各棚共通位置に形成してあり、植栽容器は観葉植物を植栽する容器で、底部中央には前記棚の孔を通過できる長さのフランジ付き短パイプが下方に向けて取り付けられ、該パイプを通しては鎖が垂下され、上段側植栽容器からの水が該鎖を伝って下段側植栽容器内に滴下するようにしてあり、灌水装置は下部溜水受と、上部給水箱と、給水ポンプからなり、溜水受は前記板状パネルを伝って流下する水、及び最下段棚の植栽容器から鎖を伝って滴下する水を溜めるように構成され、給水箱は最上段棚よりも上の上方棚に載置された断面凹状の溝形給水箱で、その背面側壁には板状パネルの横幅方向に伸びるスリットが形成されて該スリットから流出した水が板状パネル背面を伝って流下するようにされており、更に、最上段各植栽容器の上方に当たる位置の給水箱底面と上方棚には孔を設けて植栽容器内に取り付けたと同じフランジ付き短パイプを取り付け、該パイプを通して鎖を垂下させて該鎖を伝って給水箱の水が下段植栽容器内に滴下するようにされており、給水ポンプは溜水受内の水を給水箱に給水するように構成されており、かかる構成により板状パネル背面を流下する流路と、各段の植栽容器を通過して流下する流路とにより水が循環するように構成されていることを特徴とする観葉植物の育成兼展示装置である。
【０００８】
このような構成の観葉植物の育成兼展示装置は、複数段の水平棚に並べた各植栽容器に水が自動供給されるためそれら植栽容器内で観葉植物を育成することができる。観葉植物が綺麗に整列した状態で並べられ、背後に立設された板状パネルの背面には水が流されているので建物内壁面に近接設置等して展示すれば壁面の美観向上、室内の雰囲気改善に資する効果が大きい。
【０００９】
また、請求項２に記載の発明は、請求項１に記載の観葉植物の育成兼展示装置において、前記板状パネルの前面側上部、及び／又は前面側左右両側に照明装置を取り付けたことを特徴とする観葉植物の育成兼展示装置である。
【００１０】
このように照明装置を取り付けて照らせば、観葉植物及び展示装置全体を更に美しく見せることかできる。
【図面の簡単な説明】
【００１１】
【図１】本実施形態の観葉植物の育成兼展示装置１の外観の一例である。
【図２】育成兼展示装置１の構成図である。
【図３】観葉植物を除いた状態の装置内部を正面側から見た構成図
【図４】棚２ｂに載置した状態の植栽容器３の断面図である。
【図５】板状パネル２ａの前側上方と背面側に照明装置６ａ、６ｂ、６ｂを取り付けた構成の側面図である。
【発明を実施するための形態】
【００１２】
以下、本発明に係る観葉植物の育成兼展示装置の一実施形態について図面を参照して説明する。図１は本実施形態の観葉植物の育成兼展示装置１の外観の一例である。図２はその育成兼展示装置１の構成説明図であり、図２の（１）は観葉植物を植栽した状態の装置内部を正面側から見た構成図、図２の（２）はその右側面図である。図３の（１）は観葉植物を除いた状態の装置内部を正面側から見た構成図、図３の（２）はその右側面図である。
【００１３】
観葉植物の育成兼展示装置１はパネル付き展示棚２、植栽容器３、灌水装置４を備えて構成されている。パネル付き展示棚２は、垂直に設置した透明又は半透明の矩形板状パネル２ａの前面側に上下方向に所定間隔を隔てて複数の棚２ｂを水平設置したものである。板状パネル２ａ及び各棚２ｂは、育成兼展示装置１を囲う装置箱体の左右側面壁、背面壁から伸びる図示しない支腕に支持・固定されている。
【００１４】
各棚２ｂは複数の植栽容器３を水平方向に所定間隔を開けて載置する棚で透明又は半透明の板で製作されており、植栽容器３を載置する個所には後述するフランジ付き短パイプ３ｂのパイプ部分を通す孔が形成されている。
【００１５】
図４は棚２ｂに載置した状態の植栽容器３の断面図である。植栽容器３は植栽容器本体３ａ、フランジ付き短パイプ３ｂ、鎖３ｃの３部品で構成されている。植栽容器本体３ａは観葉植物を育成するための鉢であり、本実施形態の植栽容器本体３ａは底部中央に孔が設けられている。その孔には植栽容器本体３ａの内側からフランジ付き短パイプ３ｂが取り付けられている。フランジ付き短パイプ３ｂのパイプ部分は植栽容器本体３ａの下側に突出し、その先端は植栽容器３を棚２ｂに載置した状態では棚２ｂの孔を通過して棚２ｂの下面側に突出した状態になっている。
【００１６】
更に、フランジ付き短パイプ３ｂのフランジ部からは、パイプ内部を通過して鎖３ｃが垂下されている。鎖３ｃは落下しないように上端がフランジ部に固定されている。このような構成により植栽容器本体３ａ内に水が溜まると、その水は鎖３ｃを伝って下方に流下し鎖先端部から滴下する。上側植栽容器３に供給された水は上側植栽容器３を潤した後に下側植栽容器３に移ってその容器を潤す構成になっている。
【００１７】
灌水装置４は下部溜水受４ａ、上部給水箱４ｂ、給水ポンプ４ｃとで構成される。溜水受４ａは最下段棚２ｂの植栽容器３の鎖３ｃを伝って流下してきた水と、板状パネル２ａの背面側を伝って流下してきた水を受け止める溝形の水受け箱で再下段棚２ｂの下側に設置してある。給水箱４ｂは最上段棚２ｂの植栽容器３と板状パネル２ａ背面側に供給する水を貯留しておく給水箱で、最上段棚２ｂより更に一段上方に設けられた上方棚５に載置されている。
【００１８】
給水箱４ｂは断面凹状の溝形で、横幅は板状パネル２ａの横幅とほぼ同じにしてある。給水箱４ｂの背面側下部には幅方向に伸びる狭い幅のスリット４ｄが形成されている。該スリット４ｄから流出した水はスリット４ｄと板状パネル２ａ背面側との間に設けた短い水誘導路４ｅを流れて板状パネル２ａ背面側に達し、該背面側を伝って流下して下部溜水受４ａに流れ込むように構成されている。
【００１９】
他方、最上段棚２ｂの各植栽容器３上方にあたる上方棚５部分には各段棚２ｂに設けられた孔と同形状の孔が設けられ、その各孔の上方にあたる給水箱４ｂの底部にも植栽容器本体３ａの底部に設けたと同じ大きさの孔が形成されている。給水箱４ｂの底部の孔には、植栽容器３に取り付けたと同じフランジ付き短パイプ３ｂが取り付けられ、そのパイプ部分は上方棚５の前記孔を通過して上方棚５の下面側に突出している。更に、フランジ付き短パイプ３ｂのフランジ部からは植栽容器３の場合と同様にパイプ内部を通過して鎖３ｃが垂下されている。このような構成により給水箱４ｂ内の水は鎖３ｃを伝って下段の植栽容器３内に滴下する。滴下した水は植栽容器３内を潤した後、再び鎖３ｃを伝って下段の植栽容器３内に滴下すする。この繰り返しにより最終的に下部溜水受４ａに流れ込む。
【００２０】
給水箱４ｂには水位検出器が取り付けられており、水位が設定したレベルより低下すると給水ポンプ４ｃが作動して下部溜水受４ａ内の水が上部給水箱４ｂに汲みあげられる。図５は板状パネル２ａの前面上方と前面側左右両側に照明装置６ａ、６ｂ、６ｂを取り付けた構成の側面図である。
【００２１】
以上説明した本実施形態の観葉植物の育成兼展示装置１は、複数段の水平棚２ｂに並べた各植栽容器３に水が自動供給されるため、それら植栽容器３内で観葉植物を育成することかできる。観葉植物が綺麗に整列した状態で並べられ、背後に立設された板状パネル２ａの背面には水が流され、更に、それらの前面上方や左右両側から照明装置により光が当てられているため建物内壁面に近接設置等して展示すれば壁面の美観向上、室内の雰囲気改善に資する効果が大きい。
【符号の説明】
【００２２】
図面中、１は観葉植物の育成兼展示装置、２はパネル付き展示棚、２ａは板状パネル、２ｂは棚、３は植栽容器、３ａは植栽容器本体、３ｂはフランジ付きパイプ、３ｃは鎖、４は灌水装置、４ａは溜水受、４ｂは給水箱、４ｃは給水ポンプ、４ｄはスリット、６ａ、６ｂは照明装置を示す。
【図１】
2018174744.tif 000003
【図２】
2018174744.tif 000004
【図３】
2018174744.tif 000005
【図４】
2018174744.tif 000006
【図５】
2018174744.tif 000007